(57)【特許請求の範囲】
【請求項１】
自転車の車輪の回転を駆動力とし、その回転力により破砕刃を回転させて破砕物を破砕する自転車駆動式ミキサーにおいて、
該車輪のタイヤ部にローラーを押圧状態で取り付け、該ローラーの回転軸を車輪の上部に設けたミキサーの破砕刃の回転軸に破砕刃接続用歯車を用いて連結することにより、該自転車の車輪の回転をミキサーの破砕刃の回転に伝達し、
前記の車輪の上部に設けられたミキサー部は、破砕刃が内部に設けられた処理容器と、該処理容器を着脱自在に取り付けられる台部とからなり、
該ミキサー部の処理容器には、該処理容器を覆い密封するための衛生保持手段が設けられていることを特徴とする自転車駆動式ミキサー。
【請求項２】
前記衛生保持手段は、内部が目視確認できる透明部分が設けられていることを特徴とする請求項１に記載の自転車駆動式ミキサー。
【請求項３】
前記ミキサーの破砕刃の回転を測定するための計測装置が設けられていることを特徴とする請求項１または請求項２に記載の自転車駆動式ミキサー。
【請求項４】
前記ミキサーの破砕刃の回転を制御するための制動装置が設けられていることを特徴とする請求項１から請求項３までのいずれか１項に記載の自転車駆動式ミキサー。
【請求項５】
前記ミキサーの処理容器が自転車駆動中に処理容器を着脱時自在に取り付けられる台部から外れないように締め付けて固定するための締め付け固定手段が設けられていることを特徴とする請求項１から請求項４までのいずれか１項に記載の自転車駆動式ミキサー。
【請求項６】
前記の自転車のペダルの回転を測定するための計測装置が設けられていることを特徴とする請求項１から請求項５までのいずれか１項に記載の自転車駆動式ミキサー。
【請求項７】
前記の自転車のペダルの回転を制御するための制動装置が設けられていることを特徴とする請求項１から請求項６までのいずれか１項に記載の自転車駆動式ミキサー。
【請求項８】
前記の自転車のペダルの回転から消費カロリーを計測するためのカロリーメーターが設けられていることを特徴とする請求項１から請求項７までのいずれか１項に記載の自転車駆動式ミキサー。
【請求項９】
前記の自転車のペダルの回転とミキサーの破砕刃の回転と、性別、年齢を記録する記録装置が設けられていることを特徴とする請求項１から請求項８までのいずれか１項に記載の自転車駆動式ミキサー。
【請求項１０】
前記の請求項１から請求項９までのいずれか１項に記載の自転車駆動式ミキサーによる自転車のペダルの回転数とミキサーの破砕刃の回転数及び個人情報（身長、体重、性別、年齢など）及びジュースの種類、消費カロリーを収集し、ＡＩ機能で分析し、健康及びダイエット情報を提供することを特徴とする自転車駆動式ミキサー健康管理システム。
【発明の詳細な説明】
【技術分野】
【０００１】
本発明は、自転車の駆動力を用いて、ミキサーの破砕刃を回転駆動させ、野菜や果物を破砕してジュースやスムージーを製造する自転車駆動式ミキサーに関する。
【背景技術】
【０００２】
通常、野菜や果物をを破砕して、ジュースやスムージーを製造するミキサーは、その破砕刃の回転駆動として電動モーターが用いられている。
【０００３】
近年、イベント会場や観光地などで、自転車駆動により、発電を行い、その発電した電力を利用して、ライトを点灯させたり、扇風機を回したり、ラジオをつけたり、電動ミキサーを駆動させたり、スマートフォンを充電したり、コンサートの音響音源に使用するなど注目を集めている。
【０００４】
また、特開平７−１２３６６５号公報では、自転車用発電装置が開示されている。着脱自在で円筒形のローターをタイヤ外周に接触し、発電する発電機に於いて、磁石極数を多極とした事を特徴とするものである。
【０００５】
特開２００７−２８８９０９号公報では、ローラ２と、前記ローラ２の一方の側方位置に配置された第１発電機３と、前記ローラ２の他方の側方位置に配置された第２発電機４とを備えてなり、前記第１発電機３及び前記第２発電機４は、いずれも、コアレス型の固定コイル部７と、前記ローラ２の回転に連動して回転する永久磁石６と、を備えることを特徴とするものであり、低コストであり、小型かつ軽量で携行も可能となると共に、大きな容量の電力を得ることのできる、自転車用人力発電機を提供するものである。
【０００６】
特開２０１３−５４１３９３号公報は、発電機能を有するエアロバイク（登録商標）が開示されている。主フレーム（１１）および主フレームにピン接合される主動スプロケット（１３）を含む自転車フィットネス器具（１０）と；主フレームに設置され、回転軸（２０１）および回転軸に固定される従動スプロケット（２０３）を含む発電機（２０）と；主動スプロケット（１３）および従動スプロケット（２０３）を接続するチェーン（３０）と；発電機と電気的に接続され、発電機が生成した電気エネルギーを蓄えるバッテリ（４０）と；バッテリと電気的に接続され、バッテリの出力電流を調節するインバータ（５０）とを含むものである。
【０００７】
実開昭６３−１９３０５６号公報は、据え付け固定式のトレーニング用自転車を用いたトレーニング装置において、タイヤからの回転力を用いて機械的な仕事を行なう機械力変換手段を備えたことを特徴とするトレーニング装置である。この機械的な仕事としてジュース製造機を取り付けたものが開示されている。タイヤの回転力で生ジュースが製造できるものである。
【先行技術文献】
【特許文献】
【０００８】
【特許文献１】特開平７−１２３６６５号公報
【特許文献２】特開２００７−２８８９０９号公報
【特許文献３】特開２０１３−５４１３９３号公報
【特許文献４】実開昭６３−１９３０５６号公報
【発明の概要】
【発明が解決しようとする課題】
【０００９】
前記の特開平７−１２３６６５号公報及び特開２００７−２８８９０９号公報及び特開２０１３−５４１３９３号公報の場合には、ミキサーを駆動するために発電装置を備える必要があり、その発電した電力をミキサーへ供給し、ミキサーが駆動するものである。
【００１０】
本発明では、自転車の車輪の回転力をそのまま、ミキサーの破砕刃の回転駆動源とし、発電装置を必要としない自転車駆動式ミキサーを実現することである。
【００１１】
また、実開昭６３−１９３０５６号公報では、発電装置を用いずに、ジュース製造機を駆動させ、生ジュースを製造するものであるが、回転力の伝達において、ローラ１９は、タイヤ４と同じ水平の回転軸であるため、ミキサー３の垂直の回転軸に変換して回転力を伝達する必要があり、複雑にギアを組み合わせた構造となり、また、摩擦力も増加するため、ペダルの漕ぐのに相当の力が必要となるため、手軽にペダルを漕いでミキサーでジュースなどを作ることは困難であり、また、イベントなどで製造状態を見せるのみであれば、問題無いが、製造した生ジュースをその場で飲用させることは、衛生上の問題からできない。
【００１２】
特に、生ジュースを製造した場合には、製造後、ジュース製造機の上部の容器を取り外し、蓋を開けて、飲用コップ等に注いで飲用することになるので、雑菌が混入する可能性が高く、衛生面の維持ができないことから業務としての提供は、保健所の許可がもらえない。
【００１３】
本発明は、上記のような問題に鑑みてなされたものであり、自転車の車輪の回転力をそのまま、ミキサーの破砕刃の回転駆動源とし、回転力の伝達において、複雑な構造を必要とせず、効果的に駆動力を伝達でき、かつ、業務用として、衛生保持手段が設けられ、自転車駆動して製造した生の果実飲料を提供することを可能とする自転車駆動式ミキサーを提供することを課題とする。
【課題を解決するための手段】
【００１４】
本発明の請求項１は、自転車の車輪の回転を駆動力とし、その回転力により破砕刃を回転させて破砕物を破砕する自転車駆動式ミキサーにおいて、
該車輪のタイヤ部にローラーを押圧状態で取り付け、該ローラーの回転軸を車輪の上部に設けたミキサーの破砕刃の回転軸に破砕刃接続用歯車を用いて連結することにより、該自転車の車輪の回転をミキサーの破砕刃の回転に伝達し、
前記の車輪の上部に設けられたミキサー部は、上部の破砕刃が内部に設けられた処理容器と、下部の該処理容器部を着脱時自在に取り付けられる台部とからなり、
該ミキサー部の上部の処理容器には、該処理容器を密封するための衛生保持手段が設けられていることを特徴とする自転車駆動式ミキサーである。
【００１５】
該自転車の車輪の回転力を破砕刃の回転に伝達する方法は、車輪の回転をミキサーの破砕刃の回転に効果的に伝達できるものであればいずれでも良く、例えば、車輪のタイヤの部に押圧して取り付けたローラーで回転を受け、その回転をミキサーの回転刃の回転軸に効果的に伝達するものでも良い。
【００１６】
該ローラーは、タイヤ部の回転を効果的に伝達できるものであればいずれでも良く、例えば、表面に滑り止めの凹凸が設けられた金属製ローラーや、硬質ゴム製ローラーなどでも良い。
【００１７】
ローラーの取付位置は、タイヤの上面でも良く、側面でも良い。ギヤなどを用いて車輪の上部に設けたミキサーの破砕刃の回転軸に連結させたものでも良い。垂直軸を有するローラーをタイヤの側面に押圧状態で取り付け、その垂直軸を車輪上部に設けたミキサーの破砕刃の垂直軸となるように延長又は直結しても良い。
【００１８】
削除
【００１９】
該ミキサーの台部は、車輪の回転が伝達されたローラー軸に接続された歯車部が設けられており、ミキサー上部の野菜や果物を投入する処理容器を台部にセットすることで、台部の歯車部と処理容器の底部に設けられたが歯車部とが嵌め合い、破砕刃に回転力が伝達される。
【００２０】
該衛生保持手段は、ミキサー上部の処理容器全体を密封状態で覆うことができるものであればいずれでもよく、例えば、樹脂製、防水処理した紙製、或いは金属製容器で処理容器を密封状態で覆うものでも良い。形状は円筒形、方形、多角形、半球形などいずれでも良い。
【００２１】
密封シール部分は、密封性を保持できるものであればいずれでも良く、ゴム製、軟質樹脂製などでも良い。密封シール部分の固定は、ネジ止め、ボルト止め、キャッチクリップ（パチン錠）等でも良い。
【００２２】
ミキサー台部から処理容器を取り外す際に、衛生保持手段とともに取り外すことができるものである。衛生保持手段には、処理容器とともに持ち運びができるように、取ってを取り付けると良い。
【００２３】
請求項２は、前記衛生保持手段は、内部が目視確認で確認できる透明部分が設けられていることを特徴とする請求項１に記載の自転車駆動式ミキサー
【００２４】
該透明部分は、内部が目視で確認できるものであればいずれでも良く、全体が透明でも、一部が透明でも良い。例えば、透明なアクリル樹脂性の角形容器とし、ミキサーの処理容器の底部全周に鍔部を設け、該鍔部に処理容器を覆う大きさの透明アクリル製角形容器を被せ、ゴムパッキンで密封できるように数カ所でボルト止めするものでも良い。
【００２５】
請求項３は、前記ミキサーの破砕刃の回転を測定するための計測装置が設けられていることを特徴とする請求項１または請求項２に記載の自転車駆動式ミキサーである。
【００２６】
該計測装置は、ミキサーの破砕刃の回転数を計測し、表示できるものであればいずれでも良く、ミキサーの回転軸に接続された回転計などでも良い。
【００２７】
請求項４は、前記ミキサーの破砕刃の回転を制御するための制動装置が設けられていることを特徴とする請求項１から請求項３までのいずれか１項に記載の自転車駆動式ミキサーである。
【００２８】
該制動装置は、ミキサーの破砕刃の回転を制御できるものであればいずれでも良く、例えば、回転数が設定の回転数以上となると、空回りし、それ以上回転数が上がらないようにしたものでも良い。設定回転に達すると、警報を発するものやブレーキがかかるようにしても良い。
【００２９】
請求項５は、前記ミキサーの処理容器が自転車駆動中に処理容器を着脱時自在に取り付けられる台部から外れないように締め付けて固定するための締め付け固定手段が設けられていることを特徴とする請求項１から請求項４までのいずれか１項に記載の自転車駆動式ミキサーである。
【００３０】
該固定手段は、ミキサーの処理容器が処理容器部を着脱時自在に取り付けられる台部から外れないように固定することのできるものであればいずれでも良く、例えば、該処理容器をベルトで締め付けて固定するものでも良く、自転車のハンドルに手で握るブレーキレバーを取り付け、このブレーキレバーの操作で、ベルトを締め付けることができるようにしても良い。
【００３１】
請求項６は、前記の自転車のペダルの回転を測定するための計測装置が設けられていることを特徴とする請求項１から請求項５までのいずれか１項に記載の自転車駆動式ミキサーである。
【００３２】
該計測装置は、ペダルの回転軸に回転計を設け、見やすい位置にその回転数を表示する表示部を設けたものでも良い。ペダルの回転数を計測することにより、ミキサーで作るジュースの種類による運動量の目安を表示することになり、ジュースができるまでにどのくらいの回転数が必要か知ることができる。
【００３３】
請求項７は、前記の自転車のペダルの回転を制御するための制動装置が設けられていることを特徴とする請求項１から請求項６までのいずれか１項に記載の自転車駆動式ミキサーである。
【００３４】
該制動装置は、自転車のペダルの回転数が設定以上に高くなることを防ぐことのできるものであればいずれでも良く、例えば、設定以上の回転数となると、ブレーキがかかるようにしたもの或いは、空回りするものでも良い。
【００３５】
請求項８は、前記の自転車のペダルの回転から消費カロリーを計測するためのカロリーメーターが設けられていることを特徴とする請求項１から請求項７までのいずれか１項に記載の自転車駆動式ミキサーである。
【００３６】
該カロリーメーターは、自転車のペダルの回転数から消費カロリーを計算し、表示できるものであればいずれでも良い。
【００３７】
例えば、ペダルをこぐ人の個人情報（性別、年齢、体重、身長など）を入力し、ペダルの回転数から自動で消費カロリーを表示できるものでも良い。
【００３８】
請求項９は、前記の自転車のペダルの回転とミキサーの破砕刃の回転と、性別、年齢を記録する記録装置が設けられていることを特徴とする請求項１から請求項８までのいずれか１項に記載の自転車駆動式ミキサーである。
【００３９】
該記憶装置は、ペダルの回転数と破砕刃の回転数を計測し、こぐ人の個人情報（性別、年齢、身長、体重など）を記録できるものであればいずれでも良く、個人情報の入力と回転計の計測データを回転計に接続される記録装置に記憶しても良く、各記憶データを無線送信装置を設け、携帯端末などを経由してインターネット上の専用サーバに送信し、サーバ内に記録するものでも良い。
【００４０】
請求項１０は、前記の請求項１から請求項９までのいずれか１項に記載の自転車駆動式ミキサーによる自転車のペダルの回転数とミキサーの破砕刃の回転数及び個人情報（身長、体重、性別、年齢など）及びジュースの種類、消費カロリーを収集し、ＡＩ機能で分析し、健康及びダイエット情報を提供することを特徴とする自転車駆動式ミキサー健康管理システムである。
【００４１】
該ＡＩ機能は、各回転数と個人情報とジュースの種類、消費カロリーから、ジュースの種類による消費カロリーを求めることができる。また、年齢、性別によるジュースの好みを分析することもできる。分析された消費カロリーから、個人情報データに対応した健康情報やダイエット情報を提供できるものである。
【００４２】
例えば、自転車駆動ミキサーの使用者が健康を気にするのであれば、その使用者の個人情報と蓄積されたデータを分析し、健康増進に効果があるジュースの種類をリスト表示したり、ダイエットを気にする使用者であれば、データを分析し、使用者に適したダイエット効果のあるジュールをリスト表示する。使用者はリストの中から好みに合わせてジュースの種類を選択し、自転車駆動式ミキサーでそのジュースを製造することで健康増進或いはダイエット効果を実現することが可能となるものである。
【発明の効果】
【００４３】
本発明の効果は、以下の通りである。
【００４４】
（１）発電装置を必要とせずに、人力によるミキサーを実現できる。
【００４５】
（２）車輪の回転力を効果的に、そのままミキサーの回転駆動力とすることができる。
【００４６】
（３）衛生保持手段が設けられているので、雑菌の混入が無く、業務用の自転車駆動式ミキサーとして提供できる。
【００４７】
（４）衛生保持手段が透明部分を有し、内部が見え、破砕物の破砕状況を確認しながら自転車駆動式ミキサーを使用できる。
【００４８】
（５）話題性が有り、集客力の高い、自転車駆動式ミキサーミキサーを提供できる。
【００４９】
（６）ミキサーの破砕刃の回転数及びペダルの回転数の制動装置により、回転が高くなりすぎず、安全に操作することができる。
【００５０】
（７）ミキサーの処理容器の締め付け固定手段により、自転車駆動式ミキサーの使用中に処理容器が外れてしまうことを防止でき、安全に操作することができる。
【００５１】
（８）消費カロリーを計測することができ、ジュースを作るとともに運動量を実感できる。
【００５２】
（９）記憶装置とＡＩ機能により、ジュースと運動量の関係を分析することができ、ビッグデータの構築とともに、各種の個人条件（性別、年齢、身長など）による運動量や消費カロリーを分析できる。
【００５３】
（１０）自転車駆動式ミキサーによるデータをＡＩ機能を活用して分析することにより、健康増進やダイエットに活用することができる自転車駆動式ミキサーを提供できる。
【図面の簡単な説明】
【００５４】
【図１】本発明による自転車駆動式ミキサーの全体を示す図である。
【図２】本発明による自転車駆動式ミキサーのミキサー処理容器を取り外した状態を示す図である。
【図３】本発明による自転車駆動式ミキサーの衛生保持手段を示す図である。
【図４】本発明による自転車駆動式ミキサーのミキサー処理容器の底面図である。
【図５】本発明による自転車駆動式ミキサーの他の衛生保持手段を示す図である。
【図６】本発明による自転車駆動式ミキサーのタイヤへのローラー取り付け状態を示す図である。
【図６−２】本発明による自転車駆動式ミキサーのミキサーの回転軸とローラーの回転軸を示す図である。
【図７】本発明による自転車駆動式ミキサーの処理テーブル部を示す図である。
【図８】本発明による自転車駆動式ミキサーのミキサーの破砕刃取付部を示す図である。
【図９】本発明による自転車駆動式ミキサーのミキサー処理容器のベルト式固定手段による固定操作を示す図である。
【図１０】本発明による自転車駆動式ミキサーのベルト式の固定手段による締め付け状態とその解除状態を示す図である。
【発明を実施するための形態】
【００５５】
本発明による実施の形態について図面を用いて説明する。
【００５６】
図１は、本発明による自転車駆動式ミキサーの全体を示す図である。
【００５７】
本発明の自転車駆動式ミキサー１は、後輪は無く、自転車の前輪２とペダル３がチェーン４で連結されており、前輪２の上部にテーブル５が設けられ、その上面にミキサー６と、該ミキサー６の上部の処理容器６ｂを密封状態で保持する透明アクリル板製カバー（衛生保持手段）２０が設けられている。７は、ハンドルであり、８は、サドルである。
【００５８】
図２は、本発明による自転車駆動式ミキサーのミキサー処理容器を取り外した状態を示す図である。
【００５９】
テーブル５は、前輪２の上部に取り付けられており、自転車駆動式ミキサーで製造したジュースやスムージーを入れたコップや生フルーツなどを並べておけるように広く、周りには枠５ａが設けられている。本図は、ミキサー６上部の処理容器（図３参照）及び衛生保持手段（図３参照）が取り外された状態であり、該ミキサー処理容器取付台６ａは、テーブル５の手前中央に設けられている。６ｄ２は、回転力伝達用の樹脂性クラウン歯車である。
【００６０】
図３は、本発明による自転車駆動式ミキサーの衛生保持手段を示す図である。
【００６１】
自転車駆動式ミキサー１の前輪２の上部のテーブル５上面にミキサー６が設けられている。本図は、そのミキサー６の上部の処理容器６ｂとその処理容器６ｂを密封状態で覆う透明アクリル製カバー（衛生保持手段）２０を示す概略図である。
【００６２】
該処理容器６ｂは、本体が透明のガラス製であり、内部の処理物の状態が確認できる。上部には蓋部６ｃが着脱自在に取り付けられており、この蓋部６ｃを外して果物などの処理物を投入することができる。
【００６３】
処理容器６ｂ内の底部６ｂ２には、破砕刃１２（図８参照）が設けられており、その軸部が水密製パッキンを介して処理容器外底部まで伸び、樹脂性クラウン歯車６ｄ１が設けられ（図４参照）、ミキサー６の処理容器取付台６ａの樹脂性クラウン歯車６ｄ２（図１０参照）と噛み合せ、回転力が伝達されるものである。
【００６４】
透明アクリル製カバー（衛生保持手段）２０は、四角形の透明アクリル板を貼り合わせて方形に製作され、底面は無く、底部外周に鍔部２１が設けられている透明アクリル製カバー２０である。２５は、持ち運び用の取ってである。
【００６５】
また、ミキサー６の処理容器６ｂ底部の外周部には、透明アクリル製カバー２０の鍔部２１と同じ大きさで四角形となる鍔部２２が接着固定されている。
【００６６】
この処理容器６ｂ底部の四角形の鍔部２２に、透明アクリル製カバー２０の鍔部２１をゴムパッキン２３を介してセットし、数カ所をボルト止め２４して密封状態としたものである。
【００６７】
このように、透明アクリル製カバーによる衛生保持手段が設けられていることにより、ミキサー６の上部の処理容器６ａに自転車駆動式ミキサーの運転中に雑菌が付着することが防止でき、業務用として使用が可能となる。
【００６８】
例えば、スムージーの提供者は、この透明アクリル製カバーによる衛生保持手段２０とともにミキサー６の上部の処理容器６ａを衛生環境が保持されている厨房に運び、透明アクリル製カバーによる衛生保持手段２０のボルト止め２４を外し、処理容器６ａを取り出し、蓋部６ｃを外して、果物（バナナとキウイ）を適量投入し、蓋をして、透明アクリル製カバーによる衛生保持手段２０を被せ、ボルト止め２４する。
【００６９】
この状態で密封状態となり、そのまま取って２５を持って、屋外の自転車駆動式ミキサー１に持って行き、処理容器６ｂ下部の樹脂性クラウン歯車６ｄ１が処理容器取付台６ａの樹脂性クラウン歯車６ｄ２と噛み合うようにセットする。
【００７０】
セット後は、消費者が自転車駆動式ミキサー１のペダル３を漕ぎ、ミキサー６の破砕刃１２を回転させ、トロピカル（バナナとキウイ）スムージーを製造する。
【００７１】
製造完了後、提供者が透明アクリル製カバーによる衛生保持手段２０とともにミキサー６の上部の処理容器６ｂを衛生環境が保持されている厨房に運び、ボルト止め２４を外し、処理容器６ａを取り出し、飲用コップに注ぎ、屋外で待つ、消費者にスムージーを提供する。
【００７２】
このような手順で自転車駆動式ミキサーを用いることにより、衛生面の問題は無く、スムージーを業務として販売することが可能となる。
【００７３】
図５は、本発明による自転車駆動式ミキサーの他の衛生保持手段を示す図である。
【００７４】
（１）は、自転車駆動式ミキサー６より取り外した状態の衛生保持手段３０であり、内部にミキサー６の処理容器６ｂが密封状態で取り付けられている。
【００７５】
（２）は、（１）の衛生保持手段３０の下部に設けられている脚部３０ａ１が設けられ、中央部に円形の穴３０ａ２が設けられた四角形の底板３０ａを示す。
【００７６】
（３）は、自転車駆動式ミキサーのテーブル５上のミキサー処理容器取付台６ａに、処理容器６ｂと衛生保持手段３０を取り付けた状態を示す。
【００７７】
（１）にしめすように、該衛生保持手段３０は、四角形の底板３０ａの上部に、パッキン３０ｂを介して、透明なアクリル製の箱状カバー３０ｃを被せ、そのカバーの鍔部３０ｄをクリップ等（図示しない）で留めて、着脱可能に取り付けられる。
【００７８】
（３）に示すように、該底板３０ａの穴３０ａ２の部分を、処理容器６ｂの上部のガラス容器部分６ｂ１と下部の樹脂性クラウン歯車６ｄ１（図４参照）が設けられている底部６ｂ２で挟み込んだ状態で、ガラス容器部分６ｂ１の下部の外ネジ部と底部６ｂ２の内ネジ部とを嵌め合わせてネジ止めされている。
【００７９】
また、該四角形の底板には、該衛生保持手段３０を安定して置くことができるように、脚部３０ａ１が設けられている。
【００８０】
この処理容器６ｂが取り付けられた衛生保持手段３０は、四角形の底板３０ａの端部を下から支えて手で持つことにより、容易に移動可能である。
【００８１】
そして、図５の（３）に示すように、自転車駆動式ミキサーのテーブル５上のミキサー処理容器取付台６ａに、処理容器６ｂが取り付けられた衛生保持手段３０を載せて、簡単にセットすることができる。
【００８２】
図６は、本発明による自転車駆動式ミキサーのタイヤへのローラー取り付け状態を示す図である。
【００８３】
前輪２のタイヤ２ａの側面にローラー９がタイヤ２ａに押しつけるように設けられている。該ローラー９の上部は、テーブル５の上部のミキサー６の回転軸と連結され、下部は、テーブル５の下面に突き出して設けられ、タイヤ２ａに圧接させて設けられている。図６−２に示すように、テーブル５上のミキサー６の回転軸とローラー９の回転軸とは同軸９ａである。
【００８４】
図７は、本発明による自転車駆動式ミキサーのテーブル部を示す図である。
【００８５】
該テーブル５の上部のミキサー処理容器取付台６ａは、ベルト式の固定手段１０が設けられており、ハンドル７のレバー１１で操作する。
【００８６】
図８は、本発明による自転車駆動式ミキサーのミキサーの破砕刃取付部を示す図である。
【００８７】
テーブル５の上部に設けられたミキサー６の破砕刃１２は、３枚の刃からなる。
【００８８】
図９は、本発明による自転車駆動式ミキサーのミキサー処理容器のベルト式締め付け固定手段による固定操作を示す図である。
【００８９】
該締め付け固定手段１３は、ハンドル７のレバー１１を手１４でつかみ、締め付け動作を行う。
【００９０】
図１０は、本発明による自転車駆動式ミキサーのベルト式の締め付け固定手段による締め付け状態とその解除状態を示す図である。
【００９１】
処理容器６ｂを外した状態を示しており、該締め付け固定手段１３の締め付け状態を（１）に示し、締め付けの解除状態を（２）に示す。
【００９２】
該締め付け固定手段１３は、ミキサー処理容器取付台６ａの内部に設けられており、（１）は、該締め付け固定手段１３となるベルト１４が締め付けられた状態であり、処理容器６ｂが取り付けられた状態においては、強固に固定されるものである。（２）はベルト１４の締め付けが解除された状態を示し、ベルト１４がゆるめられた状態となっている。
【００９３】
このように、本発明によれば、自転車のペダルを踏んで、車輪を回転させ、その車輪の回転をローラーを介してミキサーの回転軸に伝達し、歯車部を介して破砕刃を回転させることができるものである。
【００９４】
回転刃の回転数が高くなると、ミキサーの処理容器が外れる危険性があるため、ぺダル回転時は、安全確保のため、固定手段となるハンドルのレバーを握ることでミキサーの処理容器は確実に固定され、安全にミキサーで野菜や果物を破砕し、ジュースやスムージーを作ることができる。
【００９５】
このように本発明のサイクルミキサーによれば、自分でペダルるを漕いで、自由にスムージーやジュースを作ることができ、イベント性、集客力が期待できるため、ビーチやプールなど屋外のイベントとして活用が期待される。
また、屋外での飲食に係ることから、衛生面での問題が重要となるが、衛生保持手段が設けられているため、安全、安心して飲用ができ、従来、困難とされていた、業務用としての活用が可能となるものである。
【符号の説明】
【００９６】
１    自転車駆動式ミキサー
２    車輪
２ａ  タイヤ
３    ペダル
４    チェーン
５    作業テーブル
５ａ  作業テーブルの枠
６    ミキサー
６ａ  ミキサー処理容器取付台
６ｂ  処理容器
６ｂ１  処理容器ガラス容器部
６ｂ２  処理容器底部
６ｃ  蓋部
６ｄ１、６ｄ２  樹脂性クラン歯車
７    ハンドル
８    サドル
９    ローラー
９ａ  ミキサーとローラーの回転軸
１０  ベルト式の固定手段
１１  レバー
１２  破砕刃
１３  手
１４  ベルト
２０  透明アクリル製カバーによる衛生保持手段
２０ａ  取って
２１、２２  顎部
２３  パッキン
２４  ボルト止め
３０  他の衛生保持手段
３０ａ  四角形の底板
３０ａ１  脚部
３０ａ２  穴部
３０ｂ  パッキン
３０ｃ  透明アクリル製箱状カバー
３０ｄ  顎部
【要約】      （修正有）【課題】自転車の車輪の回転力を駆動源とする、自転車駆動式ミキサーを提供すること。【解決手段】車輪２の回転を駆動力とし、その回転力により破砕刃を回転させて破砕物を破砕する自転車駆動式ミキサー１において、車輪の回転の伝達は、ペダル３の回転による車輪の回転を、その車輪のタイヤにローラーを押圧状態で取り付け、ローラーの回転を車輪の上部に設けたミキサー６の回転軸に伝達する。また、ミキサー上部の処理容器を密封するための、透明アクリル製カバーによる衛生保持手段２０が設ける。【選択図】図１【図１】
0006739077.tif 000002
【図２】
0006739077.tif 000003
【図３】
0006739077.tif 000004
【図４】
0006739077.tif 000005
【図５】
0006739077.tif 000006
【図６】
0006739077.tif 000007
【図６−２】
0006739077.tif 000008
【図７】
0006739077.tif 000009
【図８】
0006739077.tif 000010
【図９】
0006739077.tif 000011
【図１０】
0006739077.tif 000012